(57)【要約】【課題】オゾンによる効果に加えて、オゾンを含む気体の放出部分を浴槽のお湯等の液体中に沈めて使用することにより、液体に浸かる人間等の動物の血行又は代謝を液体を介して促進すると共にマッサージ効果を得ること。【解決手段】気体放出部材３は、オゾンを含む気体が供給される供給口５１を備えるケース５０と、供給口５１から供給される気体を外部に放出する複数の放出口６１と、複数の放出口６１の各々の周囲において外部に突出する弾性力を備えた複数の突起部６２と、を備え、ケース５０に取り付けられるカバー６０と、ケース５０とカバー６０とにより囲まれる空間であって遠赤外線又は放射線を放出する複数の転動体８０を移動可能に収納し、供給口５１及び複数の放出口６１に連通すると共に供給口５１から供給される気体を拡散させて複数の放出口６１から放出させる気体拡散部７０と、を有する。【選択図】図７
2018196467.tif 000002
【特許請求の範囲】
【請求項１】
オゾンを含む気体を供給する気体供給器に接続される気体放出部材であって、
前記気体供給器から前記気体が供給される供給口を備えるケースと、
前記供給口から供給される前記気体を外部に放出する複数の放出口と、前記複数の放出口の各々の周囲において外部に突出する弾性力を備えた複数の突起部と、を備え、前記ケースに取り付けられるカバーと、
前記ケースと前記カバーとにより囲まれる空間であって複数の転動体を移動可能に収納し、前記供給口及び前記複数の放出口に連通すると共に前記供給口から供給される前記気体を拡散させて前記複数の放出口から放出させる気体拡散部と、
を有し、
前記転動体は、
遠赤外線又は放射線を放出する、
ことを特徴とする気体放出部材。
【請求項２】
前記転動体は、
ラジウム鉱石若しくはセラミックス、又はラジウム若しくはセラミックスを含む、
ことを特徴とする請求項１記載の気体放出部材。
【請求項３】
前記ケースは、
後方に柱状に立設される柱状部と、前記柱状部の後端に設けられると共に前記柱状部の立設方向と交わる方向に延設される板状の延設部と、を備えた把持部を有する、
ことを特徴とする請求項１又は請求項２記載の気体放出部材。
【請求項４】
前記供給口は、
後端が前記延設部の後面に開口している、
ことを特徴とする請求項３記載の気体放出部材。
【請求項５】
前記カバーは、
前記ケースに対して着脱自在に取り付けられる、
ことを特徴とする請求項１から請求項４のいずれかに記載の気体放出部材。
【請求項６】
オゾンを含む気体を供給する気体供給器と、
前記気体供給器に接続される気体放出部材と、
を有し、
前記気体放出部材は、
前記気体供給器から前記気体が供給される供給口を備えるケースと、
前記供給口から供給される前記気体を外部に放出する複数の放出口と、前記複数の放出口の各々の周囲において外部に突出する弾性力を備えた複数の突起部と、を備え、前記ケースに取り付けられるカバーと、
前記ケースと前記カバーとにより囲まれる空間であって複数の転動体を移動可能に収納し、前記供給口及び前記複数の放出口に連通すると共に前記供給口から供給される前記気体を拡散させて前記複数の放出口から放出させる気体拡散部と、
を有し、
前記転動体は、
遠赤外線又は放射線を放出する、
ことを特徴とする気体供給装置。
【発明の詳細な説明】
【技術分野】
【０００１】
本発明は、オゾンを含む気体を放出する気体放出部材及びこれを備えた気体供給装置に関する。
【背景技術】
【０００２】
近年、くすみやシミ等の発生を抑制して、美肌に重要な透明感とツヤのある肌に導く美白効果を得るために、オゾンを使用した美容方法が知られるようになってきた（例えば、特許文献１）。かかるオゾンを使用した美容方法では、オゾンを含むエアーを供給する装置にノズルを接続し、このノズルから放出されるオゾンを含むエアーをくすみやシミ等の発生部位に吹き付ける。
【０００３】
また、近年、殺菌効果、ニキビ若しくはアトピー性皮膚炎を生じた皮膚の消炎効果、又は体臭若しくは動物臭等の脱臭効果を得るために、オゾンを使用することが知られている。
【先行技術文献】
【特許文献】
【０００４】
【特許文献１】特開２００６−１６９１９６号公報
【発明の概要】
【発明が解決しようとする課題】
【０００５】
しかしながら、従来のオゾンを含む気体を放出するノズルにおいては、オゾンを含む気体を放出するのみであるため、オゾンによる殺菌等の効果を得ることはできるものの、それ以上の効果を得ることができず、用途が限定されてしまうという課題を有する。
【０００６】
本発明の目的は、オゾンによる効果に加えて、マッサージ効果を得ることができると共に、オゾンを含む気体の放出部分を浴槽のお湯等の液体中に沈めて使用することにより液体を介して血行又は代謝を促進することができる気体放出部材及び気体供給装置を提供することである。
【課題を解決するための手段】
【０００７】
本発明に係る気体放出部材は、オゾンを含む気体を供給する気体供給器に接続される気体放出部材であって、前記気体供給器から前記気体が供給される供給口を備えるケースと、前記供給口から供給される前記気体を外部に放出する複数の放出口と、前記複数の放出口の各々の周囲において外部に突出する弾性力を備えた複数の突起部と、を備え、前記ケースに取り付けられるカバーと、前記ケースと前記カバーとにより囲まれる空間であって複数の転動体を移動可能に収納し、前記供給口及び前記複数の放出口に連通すると共に前記供給口から供給される前記気体を拡散させて前記複数の放出口から放出させる気体拡散部と、を有し、前記転動体は、遠赤外線又は放射線を放出する。
【０００８】
本発明の気体供給装置は、オゾンを含む気体を供給する気体供給器と、前記気体供給器に接続される気体放出部材と、を有し、前記気体放出部材は、前記気体供給器から前記気体が供給される供給口を備えるケースと、前記供給口から供給される前記気体を外部に放出する複数の放出口と、前記複数の放出口の各々の周囲において外部に突出する弾性力を備えた複数の突起部と、を備え、前記ケースに取り付けられるカバーと、前記ケースと前記カバーとにより囲まれる空間であって複数の転動体を移動可能に収納し、前記供給口及び前記複数の放出口に連通すると共に前記供給口から供給される前記気体を拡散させて前記複数の放出口から放出させる気体拡散部と、を有し、前記転動体は、遠赤外線又は放射線を放出する。
【０００９】
気体供給器から供給口に供給されたオゾンを含む気体は気体拡散部で拡散されて複数の放出口から外部に放出されると共に、突起部によりツボ等を押圧可能であり、人間又はペット等の動物が浸かる浴槽のお湯等の液体中に気体放出部材を挿入して使用する際に、気体拡散部に移動可能に収納されている転動体より、遠赤外線又は放射線が液体中に放出される。
【発明の効果】
【００１０】
本発明によれば、オゾンによる効果に加えて、マッサージ効果を得ることができると共に、オゾンを含む気体の放出部分を浴槽のお湯等の液体中に沈めて使用することにより液体を介して血行又は代謝を促進することができる。
【図面の簡単な説明】
【００１１】
【図１】本発明の実施形態に係る気体供給装置を示す図である。
【図２】本発明の実施形態に係る気体供給装置の構成を示すブロック図である。
【図３】本発明の実施形態に係る気体放出部材の斜視図である。
【図４】本発明の実施形態に係る気体放出部材の側面図である。
【図５】本発明の実施形態に係る気体放出部材の正面図である。
【図６】本発明の実施形態に係る気体放出部材の背面図である。
【図７】図５のＡ−Ａ断面図である。
【発明を実施するための形態】
【００１２】
以下、図面を適宜参照して、本発明の実施形態に係る気体供給装置及び気体放出部材につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１３】
＜気体供給装置の構成＞
本発明の実施形態に係る気体供給装置１の構成につき、図１を参照しながら、以下に詳細に説明する。
【００１４】
気体供給装置１は、オゾンと空気とを混合した気体を生成して気体放出部材３に供給する気体供給本体部２、及び、気体供給本体部２に着脱自在に接続され、気体供給本体部２から供給されたオゾンを外部に放出する気体放出部材３を有している。
【００１５】
＜気体供給本体部の構成＞
本発明の実施形態に係る気体供給本体部２の構成につき、図１及び図２を参照しながら、以下に詳細に説明する。
【００１６】
気体供給器としての気体供給本体部２は、筐体２０と、オゾン供給ハンドル２１と、空気供給ハンドル２２と、タイマ２３と、把手部２４と、供給口２５と、を有している。
【００１７】
筐体２０は、図２に示すように、オゾン発生部１１と、オゾン濃度制御部１２と、制御部１３と、開閉バルブ１４と、空気吸入部１５と、オゾン希釈部１６と、開閉バルブ１７と、を内部に備えている。
【００１８】
オゾン発生部１１は、オゾンを生成して開閉バルブ１４に供給する。
【００１９】
オゾン濃度制御部１２は、オゾンの濃度が所定の濃度になるように気体供給装置１の出荷時等においてオゾンの濃度を所定の範囲で予め設定可能である。オゾン濃度制御部１２は、設定された濃度に対応する流量のオゾンがオゾン発生部１１からオゾン希釈部１６に供給されるように開閉バルブ１４の開閉を制御する。
【００２０】
制御部１３は、オゾン供給ハンドル２１の操作に応じて、オゾン濃度制御部１２で設定可能な範囲よりも小さい範囲でオゾンの濃度を調整可能である。制御部１３は、オゾン供給ハンドル２１から入力した信号に基づいて、オゾン供給ハンドル２１の操作に応じた流量のオゾンがオゾン発生部１１からオゾン希釈部１６に供給されるように開閉バルブ１４を制御することにより、オゾン濃度制御部１２で設定したオゾンの濃度を調整する。制御部１３は、空気供給ハンドル２２から入力した信号に基づいて、空気供給ハンドル２２の操作に応じた流量の混合気体がオゾン希釈部１６から気体放出部材３に供給されるように開閉バルブ１７の開閉を制御する。制御部１３は、タイマ２３で設定した時間が経過した際に開閉バルブ１７を閉じて、オゾン希釈部１６から気体放出部材３に対する混合気体の供給を停止する。
【００２１】
開閉バルブ１４は、オゾン濃度制御部１２の制御によりオゾン発生部１１からオゾン希釈部１６に供給されるオゾンの流量を調整すると共に、制御部１３の制御によりオゾン発生部１１からオゾン希釈部１６に供給されるオゾンの流量を調整する。
【００２２】
空気吸入部１５は、外部の空気を吸入してオゾン希釈部１６に供給する。
【００２３】
オゾン希釈部１６は、開閉バルブ１４より供給されたオゾンを、空気吸入部１５より供給された空気で希釈することにより、オゾン濃度制御部１２で設定したオゾンの濃度を制御部１３で調整した濃度のオゾンを含む混合気体を生成する。オゾン希釈部１６は、生成した混合気体を開閉バルブ１７に供給する。
【００２４】
開閉バルブ１７は、オゾン希釈部１６から供給された混合気体の流量を制御部１３の制御により調整しながら、オゾン希釈部１６から供給された混合気体を供給口２５を介して気体放出部材３に供給する。
【００２５】
オゾン供給ハンドル２１は、ユーザーがオゾンの濃度を調整可能にするために筐体２０に設けられ、ユーザーの操作に応じた信号を制御部１３に出力する。
【００２６】
空気供給ハンドル２２は、ユーザーが混合気体の流量を調整可能にするために筐体２０に設けられ、ユーザーの操作に応じた信号を制御部１３に出力する。
【００２７】
タイマ２３は、ユーザーがオゾン供給本体部２から混合気体を供給する時間を設定可能にするために筐体２０に設けられ、設定された時間を計測する。
【００２８】
把手部２４は、筐体２０の上面に設けられ、手で把持されてオゾン供給本体部２を持ち運び可能にしている。
【００２９】
供給口２５は、ホース３３を介して気体放出部材３を着脱自在に接続可能にしており、気体放出部材３が接続された際に開閉バルブ１７から気体放出部材３への混合気体の供給を可能にする。
【００３０】
＜気体放出部材の構成＞
本発明の実施形態に係る気体放出部材３の構成につき、図３から図７を参照しながら、以下に詳細に説明する。
【００３１】
本実施形態に係る気体放出部材３は、オゾンを含む気体を供給する気体供給本体部２に接続され、ケース５０と、カバー６０と、気体拡散部７０と、を有している。
【００３２】
ケース５０は、全体が後方に緩やかに突出する凸形状であり、把持部５２と、手の平に当接する当接面５３と、係止凹部５４と、支持壁５５と、を備えている。
【００３３】
把持部５２は、当接面５３から後方に柱状に立設される柱状部５２１と、柱状部５２１の後端に設けられると共に柱状部５２１の立設方向（ｙ軸の負方向）と交わる方向に延設される延設部５２２と、を備えており、手によって把持される。把持部５２は、供給口５１を備えている。
【００３４】
供給口５１は、後端が延設部５２２の後面に開口して外部に連通すると共に、前端が気体拡散部７０に連通し、柱状部５２１の立設方向と平行に延設されている。供給口５１の前端側は、図７に示すように、前方に向けて裾広がりとなる形状になっている。供給口５１には、気体供給本体部２からオゾンを含む気体が供給される。
【００３５】
柱状部５２１は、図４に示すように、前端が前方に向けて裾広がりとなる形状を有していると共に、後端が後方に向けて裾広がりとなる形状を有している。延設部５２２は、板状であり、後面が下方に向けて傾斜した傾斜面になっている。
【００３６】
係止凹部５４は、図７に示すように、ケース５０の前端側の内壁に凹設されている。
【００３７】
支持壁５５は、図７に示すように、ケース５０の前端に設けられ、カバー６０の係止部６３が当接してカバー６０を支持している。
【００３８】
カバー６０は、エラストマー等の弾性変形可能な材料により形成されていると共に、全体が前方に緩やかに突出する凸形状であり、ケース５０に対して自身の弾性力により着脱自在に取り付けられている。カバー６０は、複数の放出口６１と、複数の突起部６２と、係止部６３と、を備えている。
【００３９】
放出口６１は、気体拡散部７０で拡散された気体を外部に放出する。
【００４０】
複数の突起部６２は、弾性力を備えており、複数の放出口６１の各々の周囲に設けられると共に、カバー６０より外部及び前方に突出している。複数の突起部６２は、人間の手の平に収まる範囲に配置されている。突起部６２は、突起部６２ａと、突起部６２ａの周囲に設けられると共に所定の押圧力で押圧された際に突起部６２ａよりも大きな変形量で弾性変形する突起部６２ｂと、により構成されている。
【００４１】
突起部６２ａは、前端に向けて徐々に小径となる形状を有し、前端が湾曲している。突起部６２ｂは、前後方向において略同一径である円柱形状であり、前端が湾曲している。突起部６２ｂは、複数の突起部６２ａ及び複数の放出口６１を取り囲むように、カバー６０の外周縁に沿ってカバー６０に配設されている。
【００４２】
係止部６３は、カバー６０の弾性力によりケース５０の係止凹部５４に圧接して係止されている。
【００４３】
気体拡散部７０は、ケース５０とカバー６０とにより囲まれる空間であり、複数の転動体８０が移動可能に収納されていると共に、供給口５１及び複数の放出口６１に連通している。気体拡散部７０は、供給口５１から供給される気体を拡散させて複数の放出口６１から放出させる。転動体８０は、球状であり、遠赤外線又は低線量の放射線を放出し、ラジウム鉱石若しくはセラミックスであること、又は、ラジウム若しくはセラミックスを含んでいることが好ましい。また、転動体８０には、トルマリン鉱石、又はトルマリン若しくはバナジウムを含む固体がラジウム鉱石若しくはセラミックス等に混ざっていてもよい。
【００４４】
なお、転動体８０は、気体拡散部７０を移動できれば、球状に限らず任意の立体形状にすることができる。また、ラジウム鉱石及びセラミックス等で転動体８０を構成する場合に限らず、遠赤外線又は放射線を放出する任意の物質により転動体８０を構成することができる。
【００４５】
＜気体放出部材の使用方法＞
本発明の実施形態に係る気体放出部材３の使用方法につき、以下に詳細に説明する。
【００４６】
気体放出部材３は、人間又はペット等の動物に使用することができる。
【００４７】
気体放出部材３には、気体供給本体部２の図示しない主電源をＯＮにして、開閉バルブ１４及び開閉バルブ１７を調整することにより、気体供給本体部２から供給口２５及びホース３３を介してオゾンを含む気体が供給される。
【００４８】
気体放出部材３は、後方に緩やかに突出する凸形状の当接面５３が操作者の手の平に当接した状態で操作者の手によって包まれ、把持部５２の柱状部５２１が操作者の人差し指と中指とにより左右から挟み込まれると共に、把持部５２の延設部５２２の前面が操作者の人差し指及び中指に当接した状態で操作される。これにより、操作者の手にフィットした状態で気体放出部材３を操作することができるため、気体放出部材３の操作を容易にすることができる。
【００４９】
また、延設部５２２の後面に開口する供給口５１の後端にホース３３を接続することにより、ホース３３が前方側に来ないようにすることができ、気体放出部材３を操作する際にホース３３が気体放出部材３に絡まってしまうことを防ぐことができる。
【００５０】
気体供給本体部２の供給口２５から供給される気体は、気体放出部材３の供給口５１に供給される。
【００５１】
供給口５１に供給された気体は、供給口５１を伝って供給口５１の前端から気体拡散部７０に供給される。この際、供給口５１の前端側を前方に向けて裾広がり形状にすることにより、供給口５１から気体拡散部７０に供給される気体を気体拡散部７０で拡散し易くすることができる。
【００５２】
気体拡散部７０に供給された気体は、気体拡散部７０の空間において拡散されると共に、気体放出部材３を動かすことに伴って転動体８０が気体拡散部７０を移動することにより、転動体８０に衝突しながらより拡散される。
【００５３】
気体拡散部７０で拡散された気体は、カバー６０の放出口６１から外部前方に放出され、気体放出部材３の前方に位置する頭、顔又は足等の体の一部に吹き付けられる。この際、放出口６１から放出される気体によりマッサージ効果を得ることができると共に、放出口６１から放出される気体に含まれるオゾンにより殺菌効果、消炎効果又は脱臭効果を得ることができる。
【００５４】
また、気体放出部材３の突起部６２を体のツボに押し当てて指圧効果及びマッサージ効果を得ることにより、血行を良くすることができ、体温を上昇させる等の効果を得ることができる。この際、気体放出部材３を人間に使用する場合には、手の平に収まる範囲に突起６２を配置するため、手の平全体のツボを同時に押すことができると共に、足裏の手の平と略同じサイズの母趾内転筋横頭の全体のツボ、短母趾屈筋の全体のツボ、又はかかとの全体のツボを同時に押すこともできる。
【００５５】
更に、気体放出部材３を頭部等の毛のある部分に持っていって、突起部６２の間に頭髪等の毛を通らせることにより、気体放出部材３を櫛として使用することができる。
【００５６】
気体放出部材３を浴槽のお湯等の液体中に挿入して使用する場合には、移動体８０から液体中に遠赤外線又は低線量の放射線が放出されるため、液体に浸かる人間又はペット等の動物の血行又は代謝を液体を介して促進して体温を上昇させる効果等を得ることができる。具体的には、転動体８０がラジウム鉱石又はラジウムを含む場合には、ラジウムから放射される低線量の放射線のホルミシス効果により、血行又は代謝を促進することができ、体温を上昇させる等の効果を得ることができる。また、転動体８０がセラミックス又はセラミックスを含む場合には、セラミックスから放射される遠赤外線により、肌細胞や体液の分子運動を活発にさせるため、血行又は代謝を促進することができ、体温を上昇させる等の効果を得ることができる。
【００５７】
また、気体放出部材３を浴槽のお湯等の液体中に挿入して使用する場合であって、転動体８０がトルマリン鉱石又はトルマリンを含む場合には、転動体８０からマイナスイオンを発してリラックスさせる効果等を得ることができる。また、転動体８０がバナジウムを含む場合には、代謝を促進させる効果等を得ることができる。
【００５８】
更に、気体放出部材３を浴槽のお湯等の液体中に挿入して使用する場合には、放出口６１から液体中にオゾンが放出されるため、液体に浸かる人間若しくはペット等の動物、又は液体を貯めておく浴槽等を殺菌若しくは脱臭することができると共に、液体中に含まれる有害な物質を分解して無害化することができる。
【００５９】
気体放出部材３を繰り返し使用することにより汚れた場合には、ケース５０からカバー６０を取り外してカバー６０を洗うことができ、又は新しいカバー６０に交換することができる。また、カバー６０の交換前であっても、カバー６０の放出口６１から放出されるオゾンによりカバー６０を殺菌することができるため清潔である。また、カバー６０の放出口６１から放出されるオゾンによりカバー６０を殺菌するため、気体放出部材３を足に使用した後に、頭又は顔等に使用しても清潔であり、体の複数の部位に対して気体放出部材３を共用することができる。
【００６０】
なお、上記の気体放出部材３の使用方法では、オゾンを含む気体を体に直接吹き付けるか又は気体放出部材３を浴槽のお湯等の液体中に挿入したが、体を洗浄等するための石鹸を泡立てるためにオゾンを含む気体を使用してもよい。
【００６１】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００６２】
具体的には、上記実施形態において、気体放出部材３を前方視楕円形にしたが、前方から見て楕円形以外の任意の形状にすることができる。
【００６３】
また、上記実施形態において、供給口５１を把持部５２に設けたが、供給口５１を当接面５３等の任意の位置に設けることができる。
【００６４】
また、上記実施形態において、当接面５３から後方に把持部５２を立設する場合に限らず、把持部を当接面５３から側方、上方又は下方に立設させてもよい。
【００６５】
また、上記実施形態において、把持部５２は柱状部５２１及び延設部５２２を備えたが、手で把持することができれば把持部を任意の形状にすることができる。
【００６６】
また、上記実施形態において、突起部６２を突起部６２ａ及び突起部６２ｂにより構成したが、突起部６２ａ又は突起部６２ｂのみにより突起部を構成してもよいし、３種類以上の突起部により突起部を構成してもよい。
【産業上の利用可能性】
【００６７】
本発明は、オゾンを含む気体を放出する気体放出部材及び気体供給装置に好適である。
【符号の説明】
【００６８】
１  気体供給装置
２  気体供給本体部
３  気体放出部材
１１  オゾン発生部
１２  オゾン濃度制御部
１３  制御部
１４  開閉バルブ
１５  空気吸入部
１６  オゾン希釈部
１７  開閉バルブ
２０  筐体
２１  オゾン供給ハンドル
２２  空気供給ハンドル
２３  タイマ
２４  把手部
２５  供給口
３３  ホース
５０  ケース
５１  供給口
５２  把持部
５３  当接面
５４  係止凹部
５５  支持壁
６０  カバー
６１  放出口
６２  突起部
６２ａ  突起部
６２ｂ  突起部
６３  係止部
７０  気体拡散部
８０  転動体
【図１】
2018196467.tif 000003
【図２】
2018196467.tif 000004
【図３】
2018196467.tif 000005
【図４】
2018196467.tif 000006
【図５】
2018196467.tif 000007
【図６】
2018196467.tif 000008
【図７】
2018196467.tif 000009